(57)【要約】【課題】被訓練者による運転操作の流れを遮ることなく、被訓練者に対する知識訓練を行うことが可能な運転訓練装置を提供する。【解決手段】コンピュータ本体２２は、モニタ１８上に表示された模擬的な道路環境に応じた入力部１４に対する被訓練者Ｐ１の入力動作を評価し、模擬車両Ｖｓが停止したかどうかを判定し、模擬車両Ｖｓが停止したと判定したとき、車両に関する設問を出力し、入力部１４に入力された回答の正誤を判定し、当該正誤の結果を訓練中又は訓練終了後にモニタ１８上に表示する。【選択図】図１
2010175905.tif 000002
【特許請求の範囲】
【請求項１】
車両を運転する際に要求される運転能力を、モニタ画面上に表示される模擬的な道路環境を利用して訓練するための運転訓練装置であって、
前記運転訓練装置は、
模擬車両から見える模擬的な道路環境を前記モニタ画面上に表示すると共に、運転に関する設問を出力する訓練制御部と、
前記模擬車両の動作を制御するハンドル操作具、アクセル操作具及びブレーキ操作具を備える車両動作指令入力部と、
前記訓練制御部から出力される前記設問に対する回答を被訓練者が入力する回答入力部と
を備え、
前記訓練制御部は、
前記モニタ画面上に表示された前記模擬的な道路環境に応じた前記車両動作指令入力部に対する前記被訓練者の入力動作を評価し、
前記模擬車両が停止したかどうかを判定し、
前記模擬車両が停止したと判定したとき、前記設問を出力し、
前記回答入力部に入力された回答の正誤を判定し、当該正誤の結果を訓練中又は訓練終了後に前記モニタ画面上に表示する
ことを特徴とする運転訓練装置。
【請求項２】
請求項１記載の運転訓練装置において、
前記訓練制御部は、
前記模擬車両が停止したと判定したとき、前記模擬的な道路環境を表示する画面から、前記設問を表示する画面に切り替え、
前記設問の回答制限時間を設定し、
前記回答制限時間中、スピーカから刻音を出力させ、
前記回答制限時間が経過したとき、前記設問に対する回答の有無にかかわらず、前記設問を表示する画面を、前記模擬的な道路環境を表示する画面に戻す
ことを特徴とする運転訓練装置。
【請求項３】
請求項１又は２記載の運転訓練装置において、
前記訓練制御部は、前記模擬的な道路環境中の交差点において赤信号が表示されていることを付加的な条件として前記設問を出力する
ことを特徴とする運転訓練装置。
【請求項４】
請求項１〜３のいずれか１項に記載の運転訓練装置において、
前記訓練制御部は、
前記模擬車両の走行経路の特定範囲において、前記模擬車両が満たすべき目標条件又は前記車両動作指令入力部に対して為すべき目標入力を予め設定しておき、
前記模擬車両が前記特定範囲を走行している際の前記模擬車両が前記目標条件を満たしているかどうかを判定して、又は、前記模擬車両が前記特定範囲を走行している際、前記車両動作指令入力部に対する実際の入力と前記目標入力とを比較して、前記被訓練者の入力動作を評価する
ことを特徴とする運転訓練装置。
【請求項５】
請求項１〜４のいずれか１項に記載の運転訓練装置において、
前記訓練制御部は、
出発地点から目標地点までの走行制限時間と、前記模擬車両の走行経路における法定速度とを予め設定し、
前記出発地点から前記目標地点までの実際の走行時間が、前記走行制限時間内であるとき、前記被訓練者の入力動作の評価得点を増加させ、
前記模擬車両の車速が前記法定速度を超えたとき、前記評価得点を減少させる
ことを特徴とする運転訓練装置。
【請求項６】
車両を運転する際に要求される運転能力を、モニタ画面上に表示される模擬的な道路環境を利用して訓練するための運転訓練装置であって、
前記運転訓練装置は、
模擬車両から見える運転画面と、運転に関する技術又は知識の設問や説明を表示する知識訓練画面とを選択的に前記モニタ画面上に表示する訓練制御部と、
前記模擬車両の動作を制御するハンドル操作具、アクセル操作具及びブレーキ操作具を備える車両動作指令入力部と
を備え、
前記訓練制御部は、
前記模擬車両が停止したかどうかを判定し、
前記模擬車両が停止したと判定したとき、前記運転画面から前記知識訓練画面に切り替える
ことを特徴とする運転訓練装置。
【発明の詳細な説明】
【技術分野】
【０００１】
この発明は、車両を運転する際に要求される運転能力を、モニタ画面上に表示される模擬的な道路環境を利用して訓練するための運転訓練装置に関する。
【背景技術】
【０００２】
自動車等の車両を運転する際には、運転者は刻々と変化する外界の状況に応じて、極めて複雑な情報処理と運転操作とを実行する。これらの能力には個人差があり、また、加齢と共にその能力が変化することが知られている。
【０００３】
このような運転能力を高めるために安全運転教育等を行う場合、危険場面の予知の時点から回避行動までの俊敏な動作の訓練のため、例えば、特許文献１、２に記載されるようなドライビングシミュレータ（運転訓練装置）が開発されている。
【０００４】
特許文献２では、予め設定した危険場面や学習させたい場面で運転画面を説明画面に切り替え、当該場面について説明することが提案されている。
【先行技術文献】
【特許文献】
【０００５】
【特許文献１】特開平１１−０６５４１８号公報
【特許文献２】特許第２５９２３４３号明細書
【発明の概要】
【発明が解決しようとする課題】
【０００６】
しかしながら、特許文献２では、説明画面への切替えに伴って走行中に運転操作が中断されるため、シミュレータの特性を生かしたスピード感ある運転操作を体験しながら、交通ルールや交通マナー等を学習できる環境は得られない。この点、特許文献１には、何ら記載がない。
【０００７】
本発明は、このような問題を考慮してなされたものであり、被訓練者による運転操作の流れを遮ることなく、被訓練者に対する知識訓練を行うことが可能な運転訓練装置を提供することを目的とする。
【課題を解決するための手段】
【０００８】
この発明に係る運転訓練装置は、車両を運転する際に要求される運転能力を、モニタ画面上に表示される模擬的な道路環境を利用して訓練するためのものであって、前記運転訓練装置は、模擬車両から見える模擬的な道路環境を前記モニタ画面上に表示すると共に、運転に関する設問を出力する訓練制御部と、前記模擬車両の動作を制御するハンドル操作具、アクセル操作具及びブレーキ操作具を備える車両動作指令入力部と、前記訓練制御部から出力される前記設問に対する回答を被訓練者が入力する回答入力部とを備え、前記訓練制御部は、前記モニタ画面上に表示された前記模擬的な道路環境に応じた前記車両動作指令入力部に対する前記被訓練者の入力動作を評価し、前記模擬車両が停止したかどうかを判定し、前記模擬車両が停止したと判定したとき、前記設問を出力し、前記回答入力部に入力された回答の正誤を判定し、当該正誤の結果を訓練中又は訓練終了後に前記モニタ画面上に表示することを特徴とする。
【０００９】
本発明によれば、運転に関する設問が出力されるのは、模擬車両が停止したときである。このため、被訓練者による運転操作の流れを止めて前記設問を出力することを回避することができる。その結果、被訓練者は、運転操作の流れを遮られることなく、知識訓練を受けることが可能となる。
【００１０】
前記訓練制御部は、前記模擬車両が停止したことを判定するための前記模擬車両の車速又はエンジン回転数の閾値を設定しておき、前記車速又は前記エンジン回転数が前記閾値を下回ったとき、前記模擬車両が停止したと判断してもよい。
【００１１】
前記訓練制御部は、前記模擬車両が停止したと判定したとき、前記模擬的な道路環境を表示する画面から、前記設問を表示する画面に切り替え、前記設問の回答制限時間を設定し、前記回答制限時間中、スピーカから刻音を出力させ、前記回答制限時間が経過したとき、前記設問に対する回答の有無にかかわらず、前記設問を表示する画面を、前記模擬的な道路環境を表示する画面に戻してもよい。
【００１２】
上記によれば、回答制限時間中、刻音が出力されるため、被訓練者の焦燥感を煽りながら即断学習の訓練効果を高めることができる。また、回答制限時間が経過すると、回答の有無にかかわらず、設問を表示する画面から、模擬的な道路環境を表示する画面に戻るため、訓練の迅速性を担保することが可能となる。
【００１３】
前記訓練制御部は、前記模擬的な道路環境中の交差点において赤信号が表示されていることを付加的な条件として前記設問を出力してもよい。
【００１４】
上記構成によれば、赤信号に伴う模擬車両の停止中に設問を出力できる。従って、信号待ちの時間を利用して、設問に回答するように構成可能となるため、設問に対する回答から運転再開への切替えを違和感なく行うことができる。
【００１５】
前記訓練制御部は、前記模擬車両の走行経路の特定範囲において、前記模擬車両が満たすべき目標条件又は前記車両動作指令入力部に対して為すべき目標入力を予め設定しておき、前記模擬車両が前記特定範囲を走行している際の前記模擬車両が前記目標条件を満たしているかどうかを判定して、又は、前記模擬車両が前記特定範囲を走行している際、前記車両動作指令入力部に対する実際の入力と前記目標入力とを比較して、前記被訓練者の入力動作を評価してもよい。
【００１６】
これにより、被訓練者の運転能力を、車両動作入力部に対する被訓練者の実際の入力（運転操作）に応じて評価することが可能となる。例えば、ある交差点において右折する走行経路を設定し、この右折の際、交差点の３０ｍ前でウインカーを出したかどうか（そのような入力があったかどうか）を判定し、被訓練者の実際の入力動作を評価することができる。或いは、車線変更を求める特定範囲を設定し、この特定範囲において車線変更のためのウインカーを出すタイミング、ウインカーを出してから実際の車線変更に移るまでの期間、変更先の車線を走行中の車両との車間距離等の指標で被訓練者の実際の入力動作を評価することも可能である。
【００１７】
前記訓練制御部は、出発地点から目標地点までの走行制限時間と、前記模擬車両の走行経路における法定速度とを予め設定し、前記出発地点から前記目標地点までの実際の走行時間が、前記走行制限時間内であるとき、前記被訓練者の入力動作の評価得点を増加させ、前記模擬車両の車速が前記法定速度を超えたとき、前記評価得点を減少させてもよい。これにより、走行制限時間がある中で、法定速度を遵守する姿勢や安全運転の意識を養うことができる。
【００１８】
本発明に係る運転訓練装置は、車両を運転する際に要求される運転能力を、モニタ画面上に表示される模擬的な道路環境を利用して訓練するためのものであって、前記運転訓練装置は、模擬車両から見える運転画面と、運転に関する技術又は知識の設問や説明を表示する知識訓練画面とを選択的に前記モニタ画面上に表示する訓練制御部と、前記模擬車両の動作を制御するハンドル操作具、アクセル操作具及びブレーキ操作具を備える車両動作指令入力部とを備え、前記訓練制御部は、前記模擬車両が停止したかどうかを判定し、前記模擬車両が停止したと判定したとき、前記運転画面から前記知識訓練画面に切り替えることを特徴とする。
【００１９】
本発明によれば、運転画面から知識訓練画面に切り替わるのは、模擬車両が停止したときである。このため、被訓練者による運転操作の流れを止めて知識訓練に入ることを回避することができる。その結果、被訓練者は、運転操作の流れを遮られることなく、知識訓練を受けることが可能となる。
【発明の効果】
【００２０】
本発明によれば、運転に関する設問が出力されるのは、模擬車両が停止したときである。このため、被訓練者による運転操作の流れを止めて前記設問を出力することを回避することができる。その結果、被訓練者は、運転操作の流れを遮られることなく、知識訓練を受けることが可能となる。
【図面の簡単な説明】
【００２１】
【図１】本発明の一実施形態に係る運転訓練装置が設置された車両販売店の様子を示す図である。
【図２】前記運転訓練装置の入力部に含まれるハンドルの正面図である。
【図３】本実施形態において運転シミュレーションを行うフローチャートである。
【図４】本実施形態における検定モードのフローチャートである。
【図５】本実施形態における模擬コースの全体図である。
【図６】実技訓練中に赤信号で停止した状態の運転画面の一例を示す図である。
【図７】知識訓練における出題画面の一例を示す図である。
【図８】知識訓練における解説画面の一例を示す図である。
【図９】評価結果を表示する画面の一例を示す図である。
【発明を実施するための形態】
【００２２】
図１は、この発明の一実施形態に係る運転訓練装置（ドライビングシミュレータ）１０の概略的な構成を示す図である。本実施形態における運転訓練装置１０は、車両の販売店１２に設置されている。自動車ディーラーは、運転訓練装置１０を用いて顧客に対して安全運転教育を行うことができる。なお、図１では、夫婦が販売店１２に訪れ、同伴者且つ被訓練者Ｐ１である妻が運転訓練を受けている間に、夫Ｐ２が販売員Ｐ３と商談をしている。このため、被訓練者Ｐ１である妻は、待ち時間中に安全運転教育を受けることが可能となる。また、待ち時間でなくとも、販売店１２側が顧客に積極的に利用を勧めることにより、車両の販売店１２という車両に関して興味が湧く環境の中で、日常に役立つ運転知識や危険予測に役立つノウハウ等をゲーム感覚で楽しみながら学習することができるようになる。
【００２３】
運転訓練装置１０は、被訓練者Ｐ１の運転能力を高めるためのものであって、入力部１４と、モニタ１８と、スピーカ２０と、コンピュータ本体２２とを備える。
【００２４】
入力部１４は、被訓練者Ｐ１が操作するものであって、ハンドル２４と、セレクトレバー２６と、アクセルペダル２８と、ブレーキペダル３０とを有する。入力部１４は、コンピュータ本体２２に接続されており、被訓練者Ｐ１は、入力部１４への入力を介してモニタ１８上に表示される模擬車両Ｖｓ（四輪車）を運転することができる。
【００２５】
図２に示すように、ハンドル２４には、４つのボタン（第１ボタン３２ａ、第２ボタン３２ｂ、第３ボタン３２ｃ及び第４ボタン３２ｄ）が設けられている。以下では、第１ボタン３２ａの表面には「Ａ」の文字が、第２ボタン３２ｂの表面には「Ｂ」の文字が、第３ボタン３２ｃの表面には「Ｃ」の文字が、第４ボタン３２ｄの表面には「Ｄ」の文字が印刷されている。このため、以下では、第１ボタン３２ａをＡボタン、第２ボタン３２ｂをＢボタン、第３ボタン３２ｃをＣボタン、第４ボタン３２ｄをＤボタンともいう。
【００２６】
本実施形態の運転訓練装置１０では、コンピュータ本体２２からの信号に応じて、モニタ１８上に運転シミュレーションの画面が表示されると共に、スピーカ２０から当該運転シミュレーションに伴う効果音や音声が出力される。被訓練者Ｐ１は、前記運転シミュレーションの画面に応じて入力部１４への入力を行うことにより、モニタ１８上の模擬車両Ｖｓを運転することができる（詳細は後述する。）。
【００２７】
次に、本実施形態の運転訓練装置１０の処理について説明する。以下に述べる処理は、コンピュータ本体２２の図示しないＣＰＵ（Central Processing Unit）が、図示しないメモリに記憶されているソフトウェアを実行することで実施される。
【００２８】
運転訓練装置１０では、運転シミュレーションの訓練モードとして、ドライブモード、ペアモード、キッズモード及びエコロジーモードとを備える。ドライブモードとは、運転者の運転能力（実技能力及び運転知識）の向上を目的とした訓練モードである。ペアモードとは、親子等の二人組みが一緒になって運転能力や交通安全知識を高めることができる訓練モードであり、運転訓練にゲーム性を持たせたものである。キッズモードとは、自動車に関する知識や交通安全知識を高めることを目的とし且つゲーム性を持たせた訓練モードである。エコロジーモードとは、環境に優しい運転を学習することを目的とした訓練モードである。
【００２９】
図３には、本実施形態の運転訓練装置１０の処理の概要に関するフローチャートが示されている。
【００３０】
ステップＳ１において、コンピュータ本体２２の電源がオンされると、コンピュータ本体２２は、起動処理の後、ステップＳ２において、モニタ１８上にユーザメニュー（図示せず）を表示し、ステップＳ３において、訓練モードを選択する。前記ユーザメニューでは、上述した各訓練モード（ドライブモード、ペアモード、キッズモード及びエコロジーモード）の選択肢が示される。各選択肢は、訓練モードの名称とシンボル画像（例えば、ペアモードであれば、親子２名の画像、キッズモードであれば、複数の子供の画像）を枠の中に表示したものである。現在選択中の訓練モードは、太枠で囲まれて拡大表示されると共に、枠の近傍に当該訓練モードの説明が表示される。なお、ドライブモードがデフォルト設定である。
【００３１】
また、上記ユーザメニューでは、「ハンドルを回して、プレイする項目を選んで下さい。選んだら、Ａボタンを押すか、アクセルペダルを踏んで決定して下さい。」とのメッセージが併せて表示される。このメッセージの通り、訓練モードの選択は、ハンドル２４を回して選択し、Ａボタン（入力部１４の第１ボタン３２ａ）又はアクセルペダル２８を押すことで決定される。すなわち、ステップＳ３において、コンピュータ本体２２は、ハンドル２４が回されると、モニタ１８上で選択されている訓練モードを切り替える。また、Ａボタン（入力部１４の第１ボタン３２ａ）が押されたかどうか、及びアクセルペダル２８が踏まれたかどうか（すなわち、訓練モードが選択されたかどうか）を監視し、いずれか一方が行われた時点の訓練モードが選択されたものと判定する。
【００３２】
ステップＳ３において訓練モードが選択されると、ステップＳ４において、コンピュータ本体２２は、選択された訓練モードを実行する。
【００３３】
図４には、訓練モードとしてドライブモードが選択された場合のフローチャートが示されている。図３のステップＳ３においてドライブモードが選択されると、ステップＳ１１において、コンピュータ本体２２は、オープニング演出を実行する。具体的には、モニタ１８上に、ドライブモードのうち検定モードと体験モードそれぞれの選択肢を、キャラクタ（図示せず）と共に表示する（検定モードがデフォルト設定である。）。検定モードは、運転技能及び運転に関する知識を確認及び教育するモードであり、難易度として初級、中級及び上級のいずれかを選択可能である。体験モードは、様々な道路環境を体験できるモードであり、市街地、高速道路、山岳道路、夜間走行、雨天走行及び普通走行のいずれかを選択可能である。
【００３４】
また、上記表示に合わせて、前記キャラクタの音声として「ようこそ、ドライブモードへ！」との言葉に続き、安全運転の重要性の説明を音声で行う。
【００３５】
ステップＳ１２において、コンピュータ本体２２は、入力部１４の第１ボタン３２ａが押されたかどうか、及びアクセルペダル２８が踏まれたかどうかを監視し、いずれか一方の動作が行われた時に選択されている選択肢を、以後の処理で実行する。例えば、検定モードが選択された状態で第１ボタン３２ａが押されるか、アクセルペダル２８が踏まれると検定モードが選択され、さらに、ハンドル２４を回すことで難易度の選択が可能となる。初級、中級及び上級のいずれかが選択された状態で第１ボタン３２ａが押されるか、アクセルペダル２８が踏まれると、選択されている難易度が選択される。なお、各難易度は、初級→中級→上級へとステップアップするようになっており、初めは初級のみ選択可能である。各難易度をクリアする毎に上位の選択が可能になる。体験モードも同様に選択される。
【００３６】
続くステップＳ１３において、コンピュータ本体２２は、操作説明を行う。具体的には、モニタ１８上に、図示しないメモリに記憶されている入力部１４の画像を表示すると共に、各部の説明として、アクセルペダル２８、ブレーキペダル３０及びセレクトレバー２６の位置、並びに、第１ボタン３２ａが照明操作用、第２ボタン３２ｂが左ウインカー操作用、第３ボタン３２ｃが右ウインカー操作用、第４ボタン３２ｄがワイパー操作用である旨を表示する。なお、操作説明の前に、出力される音声の選択（男性又は女性）を行ってもよい。
【００３７】
続くステップＳ１４において、コンピュータ本体２２は、運転訓練（運転シミュレーション）を行う。運転訓練には、入力部１４を用いて模擬車両Ｖｓを運転する実技訓練と、運転に関する知識を習得する知識訓練と、実技訓練及び知識訓練の結果を示す結果表示とが含まれる。結果表示は、実技訓練及び知識訓練が終わった後になされる。結果表示において、コンピュータ本体２２は、実技訓練及び知識訓練の結果としての合計得点Ｓｔと順位をモニタ１８上に表示する。運転訓練の詳細については後述する。
【００３８】
ステップＳ１５において、コンピュータ本体２２は、エンディング演出を行う。具体的には、モニタ１８上に前記キャラクタと安全運転の重要性に関するメッセージを表示すると共に、当該メッセージを音声出力する。
【００３９】
エンディング演出が終わると、ドライブモードを終了し、ユーザメニュー（図３のＳ２）に戻る。
【００４０】
次に、検定モードにおける運転訓練（図４のＳ１４）の詳細について述べる。
【００４１】
図５には、本実施形態で用いる模擬コース５０の全体が示されている。
【００４２】
本実施形態では、走行制限時間Ｔｄｒｖ＿ｌｉｍ［秒］内に、スタート地点Ｐｓからゴール地点Ｐｇまで到達することが目標の一つとされる。本実施形態では、模擬車両Ｖｓが進む経路は、スピーカ２０からの音声により指示される。また、本実施形態では、被訓練者Ｐ１の運転技能や知識等に応じて評価（表示や順位）がなされる。
【００４３】
模擬コース５０には、被訓練者Ｐ１の実技能力を検定する場面（検定場面Ｃ１〜Ｃ３）や、運転に関する知識を検定する場面（出題場面Ｑ１〜Ｑ３）が予め設定されており、被訓練者Ｐ１は、模擬車両Ｖｓを介してこれらを経ることにより、実技能力や運転に関する知識を確認及び学習することができる。
【００４４】
検定場面Ｃ１〜Ｃ３についてより詳しく説明すると、検定場面Ｃ１〜Ｃ３は、交通事故が起こり易い状況を意図的に作り上げ、被訓練者Ｐ１がこれを避けるための対応を取っていたかどうかを評価する。各検定画面Ｃ１〜Ｃ３は、模擬コース５０における特定の場所において出現する。なお、図５中の矢印は、模擬車両Ｖｓの経路を示す。また、実技訓練中は、スピーカ２０から案内の音声が出力される。例えば、検定場面Ｃ１〜Ｃ３の詳細は、下記の通りである。
【００４５】
検定場面Ｃ１：
検定内容：「駐車場から車道に出るときの安全確認」
場面設定及び音声出力：
・音声：「これから検定モードを始めます。あなたの運転をチェックしてみましょうね。」
・音声：「途中で、交通ルールやマナーに関して質問しますので、答えて下さいね。」
・音声：「さあ準備はいいかしら？では、検定を始めましょう。」
・駐車場６０においてエンジンを始動
・対向側の車線（右折方向）には、車両が複数台走行している
・音声：「車道に出るときは、ウインカーを出し、手前で止まって、周囲の安全を確認しましょう。」
評価項目：
○：車道に出る手前Ｘ１ｍ（Ｘ１は所定の数値）までにウインカーを点滅させ、且つ車道に出る手前で一時停止した
×：上記ウインカーの点滅又は一時停止の一方のみがなされた
【００４６】
検定場面Ｃ２：
検定内容：「本線への合流」
場面設定及び音声出力：
・音声：「合流するときは、本線後方から接近する車両に気をつけましょう。」
・模擬車両Ｖｓが合流地点に近づくと、右後方から二輪車が進行してくる
評価項目：
○：合流地点の手前Ｘ２１ｍ前（Ｘ２１は所定の数値）までに２５ｋｍ／ｈ以下まで減速し、且つ合流地点の手前Ｘ２２ｍ前（Ｘ２２は所定の数値）までに右ウインカーを点滅させた
×：上記減速又は右ウインカーの点滅の一方のみがなされた
【００４７】
検定場面Ｃ３：
検定内容：「バス専用レーンからの車線変更」
場面設定及び音声出力：
・音声：「次の次の信号を右に曲がって」
・自社線の第２通行帯には、右に曲がろうとする車両が停止している
→模擬車両Ｖｓは、第１通行帯を走行する
・走行していくと、左側のバス停にバスが停車している
・音声：「ここは、バス専用レーンよ。」
・模擬車両Ｖｓが右車線に移動しようとすると、右後方から車両が２台続けて接近してくる
・音声：「後ろからバスが来ているわよ。」
・音声：「バス専用の標識、標示を見落とさないようにし、安全を確認してから素早く外に出ましょう！」
評価項目：
○：右折後、Ｘ３１秒以内（Ｘ３１は所定の数値）までに右ウインカーを点滅し、Ｘ３２秒以内（Ｘ３２は、Ｘ３１よりも長い所定の数値）に車線変更した
×：上記点滅又は車線変更ができなかった
【００４８】
念のため、上記内容をコンピュータ本体２２の処理として説明すると、コンピュータ本体２２は、模擬車両Ｖｓが検定場面Ｃ１〜Ｃ３のいずれかの領域に接近していると判定すると、当該学習場面の設定をモニタ１８上に表示させる。そして、この設定に対応する入力部１４への入力（ウインカーの点滅等）や、模擬車両Ｖｓが所定の条件（速度Ｖが所定速度以下となっているか等）を満たしているかどうかを判定する。そして、その判定に応じた評価を行って、図示しないメモリに記憶しておく。
【００４９】
次に、出題場面Ｑ１〜Ｑ３についてより詳しく説明すると、被訓練者Ｐ１は、これらの出題場面Ｑ１〜Ｑ３において、モニタ１８上に表示される運転に関する問題に回答し、その解説を受けることにより、運転に関する知識を学習することができる。
【００５０】
本実施形態では、出題場面Ｑ１、Ｑ３のいずれかの交差点において、模擬車両Ｖｓが、信号７６が赤になったことに伴って停止した際、図６に示すような運転画面７０（模擬的な道路環境を表示する画面）から図７に示すような出題画面７２（問題を表示する画面）に切り替わり、交通法規や運転技術等、運転に関する問題がモニタ１８上に表示される。出題場面Ｑ２の交差点において、模擬車両Ｖｓが、一時停止線の手前で一時停止した際も同様である。運転画面７０から出題画面７２に切り替える際は、スモーク処理（運転画面７０において霧を発生させたように徐々に運転画面７０を終了させる処理）が行われる。出題画面７２では、被訓練者Ｐ１による入力部１４への入力（例えば、第３ボタン３６ｃを押す、アクセルペダル２８を踏む等）により回答が可能である。そして、図８に示すような、入力された回答に応じた解説画面７４（例えば、正解であれば、その旨の表示と共に解説を表示、不正解であれば、その旨の表示と共に解説を表示）が表示される。その後、解説画面７４から運転画面７０に切り替わり、実技訓練が継続される。
【００５１】
上記内容をコンピュータ本体２２の処理として説明すると、コンピュータ本体２２は、模擬車両Ｖｓが、出題場面Ｑ１、Ｑ３いずれかの交差点に接近しているかどうかを監視し、模擬車両Ｖｓが、出題場面Ｑ１、Ｑ３いずれかの交差点に接近しているかと判定した場合、当該交差点の信号７６を赤に変化させる。併せて、模擬車両Ｖｓの速度Ｖがゼロ（又は模擬車両Ｖｓが停止したと判断することができる値）になったかどうかを監視する。信号７６が赤であり且つ速度Ｖがゼロになったと判定した場合、スモーク処理を用いながら運転画面７０（図６）を出題画面７２（図７）に切り替え、図示しないメモリに記憶されている複数の問題からランダムに１つの問題を選択し、出題画面７２に表示する。それと同時に、図示しないタイマによりカウントを開始すると共に、スピーカ２０から一定間隔（例えば、６０〜１２０回／分のいずれか）で刻音を出力させる。或いは、刻音の間隔を徐々に短くしていってもよい。前記タイマのカウント値が、回答制限時間Ｔａｎｓ＿ｌｉｍに到達すると、回答がなくても、出題画面７２（図７）から解説画面７４（図８）に切り替えた後、運転画面７０に戻し、実技訓練を再開する（運転画面７０への切替え後、直ぐに信号７６を青に変える。）。出題場面Ｑ２でも同様である。なお、各出題画面７２では、それぞれ５問続けて出題が行われ、解説は５問同時に掲載される（図８中では、一部を省略している。）。
【００５２】
コンピュータ本体２２は、回答が正解だったかどうかを、出題場面Ｑ１〜Ｑ３と関連付けて図示しないメモリに記憶する。なお、出題中は、走行停止として、全体の走行時間Ｔｄｒｖ［秒］の計時を停止し、実技運転の再開に対応して計時動作を再開する。
【００５３】
加えて、本実施形態では、模擬コース５０を複数の領域に分けて法定速度Ｖｌｇｌ（制限速度）［ｋｍ／ｈ］が設定されている。そして、模擬車両Ｖｓの速度Ｖが、法定速度Ｖｌｇｌを３秒以上超えている場合、その回数に応じて合計得点Ｓｔが減点される。これをコンピュータ本体２２の処理として説明すると、コンピュータ本体２２は、実技訓練の間、速度Ｖが法定速度Ｖｌｇｌを超えていないかどうかを監視する。そして、速度Ｖが法定速度Ｖｌｇｌを超えていると判定すると、図示しないタイマのカウントを開始する。併せて、当該タイマのカウント値が３秒間以上であるかどうかを監視する。当該カウント値が３秒間以上である場合、速度Ｖが法定速度Ｖｌｇｌを超えていた回数（図示しないメモリに記憶している）を１増加させ、前記カウント値をリセットする。
【００５４】
模擬車両Ｖｓが、ゴール地点Ｐｇまで辿り着くと、実技訓練が終了となる。模擬コース５０は、実技訓練を始める前にのみ、模擬コース５０の説明として、モニタ１８上にその全体が表示される。或いは、模擬車両Ｖｓがスタート地点Ｐｓからゴール地点Ｐｇに到るまでの間の全部又は一部において表示してもよい。
【００５５】
模擬車両Ｖｓがゴール地点Ｐｇに到達した場合、コンピュータ本体２２は、模擬車両Ｖｓがゴール地点Ｐｇに到達した旨のメッセージをモニタ１８上に表示させる。
【００５６】
実技訓練が終了すると、コンピュータ本体２２は、今回の訓練に関する合計得点Ｓｔを演算する。具体的には、下記の各項目（ａ）〜（ｄ）の得点の合計を合計得点Ｓｔとする。具体的な点数例を用いて説明すると、
（ａ）走行時間：実際の走行時間Ｔｄｒｖが、走行制限時間Ｔｄｒｖ＿ｌｉｍ以内であるとき、５００点
（ｂ）速度監視：速度Ｖが法定速度を超えた時間が連続して３秒間以上続いた回数×（−１０点）、すなわち、１回毎に１０点の減点
（ｃ）検定場面Ｃ１〜Ｃ３における評価：○：５０点×場面数＋×：０点×場面数
（ｄ）問題への回答結果：５０点×正解数
【００５７】
そして、コンピュータ本体２２は、合計得点Ｓｔに応じた評価を判定する。例えば、合計得点Ｓｔが７００点以上であれば「大変よくできました！」、６００点以上７００点未満であれば「よくできました！」、５００点以上６００点未満であれば「ちょっと残念だったね！」、５００点未満であれば、「こんどは、もっとガンバろう！」との評価である（音声出力される）。
【００５８】
さらに、コンピュータ本体２２は、合計得点Ｓｔが、これまでの別の訓練における合計得点Ｓｔの群における順位Ｒｃを判定する。
【００５９】
そして、図９に示すように、コンピュータ本体２２は、今回の合計得点Ｓｔ及びその内訳（実技点、知識点及びその他）と、今回の順位Ｒｃとを含む評価画面７８をモニタ１８上に表示する。
【００６０】
以上のように、本実施形態によれば、運転に関する設問が出力されるのは、模擬車両Ｖｓが停止したときである。このため、被訓練者Ｐ１による運転操作の流れを止めて前記設問を出力することを回避することができる。その結果、被訓練者Ｐ１は、運転操作の流れを遮られることなく、知識訓練を受けることが可能となる。
【００６１】
上記実施形態では、回答制限時間Ｔａｎｓ＿ｌｉｍ中、刻音が出力されるため、被訓練者Ｐ１の焦燥感を煽りながら即断学習の訓練効果を高めることができる。また、回答制限時間Ｔａｎｓ＿ｌｉｍが経過すると、回答の有無にかかわらず、出題画面７２から、解説画面７４を経て運転画面７０に戻るため、訓練の迅速性を担保することが可能となる。
【００６２】
本実施形態によれば、赤信号に伴う模擬車両Ｖｓの停止中に設問を出力できる。従って、信号待ちの時間を利用して、設問に回答するように構成可能となるため、設問に対する回答から運転再開への切替えを違和感なく行うことができる。
【００６３】
本実施形態によれば、コンピュータ本体２２は、模擬コース５０の検定領域Ｃ１〜Ｃ３において模擬車両Ｖｓが満たすべき目標条件（一時停止や所定速度までの減速等）を予め設定しておき、模擬車両Ｖｓが検定領域Ｃ１〜Ｃ３を走行している際、模擬車両Ｖｓが前記目標条件を満たしているかどうかを判定して、被訓練者Ｐ１の入力動作を評価する。これにより、被訓練者Ｐ１の運転能力を、入力部１４に対する被訓練者Ｐ１の実際の入力（運転操作）に応じて評価することが可能となる。例えば、ある交差点において右折する走行経路を設定し、この右折の際、交差点の３０ｍ前でウインカーを出したかどうか（そのような入力があったかどうか）を判定し、被訓練者Ｐ１の実際の入力動作を評価することができる。或いは、車線変更を求める特定範囲を設定し、この特定範囲において車線変更のためのウインカーを出すタイミング、ウインカーを出してから実際の車線変更に移るまでの期間、変更先の車線を走行中の車両との車間距離等の指標で被訓練者Ｐ１の実際の入力動作を評価することも可能である。
【００６４】
本実施形態において、コンピュータ本体２２は、スタート地点Ｐｓからゴール地点Ｐｇまでの走行制限時間Ｔｄｒｖ＿ｌｉｍと、模擬車両Ｖｓの法定速度Ｖｌｇｌを予め設定し、運転訓練中、スタート地点Ｐｓからゴール地点Ｐｇまでの実際の走行時間Ｔｄｒｖが、走行制限時間Ｔｄｒｖ＿ｌｉｍ内であるとき、被訓練者Ｐ１の入力動作の合計得点Ｓｔを増加させ、模擬車両Ｖｓの速度Ｖが法定速度Ｖｌｇｌを超えたとき、合計得点Ｓｔを減少させる。これにより、走行制限時間Ｔｄｒｖ＿ｌｉｍがある中で、法定速度Ｖｌｇｌを遵守する姿勢や安全運転の意識を養うことができる。
【００６５】
なお、この発明は、上記実施形態に限らず、この明細書の記載内容に基づき、種々の構成を採り得ることはもちろんである。例えば、以下に示す構成を採ることができる。
【００６６】
上記実施形態では、運転訓練装置１０を車両の販売店１２に設置したが、これに限られず、運転教習所、運転免許試験場、整備工場等、その他の場所に設置してもよい。
【００６７】
上記実施形態では、模擬車両Ｖｓは四輪車であったが、これに限られず、例えば、二輪車や六輪以上の車両であってもよい。
【００６８】
上記実施形態では、ハンドル操作具、アクセル操作具及びブレーキ操作具として、四輪車用のハンドル２４、アクセルペダル２８及びブレーキペダル３０を用いたが、これに限られない。例えば、二輪車用のハンドル、アクセルグリップ及びブレーキレバーやブレーキペダルであってもよい。或いは、ボタン操作によりアクセルやブレーキを操作することもできる。
【００６９】
上記実施形態では、速度Ｖがゼロになったとき、模擬車両Ｖｓが停止したと判断したが、これに限られない。例えば、模擬車両Ｖｓが停止したと判定可能なほど速度Ｖが小さくなったとき（例えば、１ｋｍ／ｈ）、或いは、模擬車両Ｖｓのエンジン回転数［ｒｐｍ］がゼロ又はこれに近い値となったとき、模擬車両Ｖｓが停止したと判断してもよい。
【００７０】
上記実施形態では、信号７６が赤になっていることで模擬車両Ｖｓが停止したとき、又は模擬車両Ｖｓが一時停止線で停止したとき、運転画面７０から出題画面７２に切り替えたが、切替えのタイミングはこれに限られない。例えば、模擬コース５０に踏切を設けた場合、踏切での待ち時間の間に運転画面７０から出題画面７２に切り替えてもよい。
【００７１】
上記実施形態では、検定場面Ｃ１〜Ｃ３において、検定内容として「駐車場から車道に出るときの安全確認」、「本線への合流」及び「バス専用レーンからの車線変更」を用いたが、交通事故が起こり易い状況を意図的に作り上げ、被訓練者Ｐ１がこれを避けるための対応を取っていたかどうかを評価するものであれば、これに限られない。例えば、左折時の横断者に注意する場面、一時停止交差点から優先道路へ進入する場面、先行車が急停止する場面等を設定することができる。
【００７２】
上記実施形態では、出題場面Ｑ１〜Ｑ３において、交通ルールや交通マナーに関する問題を出したが、これに限られず、運転に関する知識を学習可能なものであれば、これに限られない。例えば、運転技能や車両の構造に関する知識を問う問題であってもよい。或いは、出題形式とはせずに、これから出現する検定場面について予備知識（どのような注意をしたらよいか等）を説明してもよい。
【００７３】
上記実施形態では、解説画面７４の表示を出題画面７２の直ぐ後に行ったが、実技訓練終了後にまとめて行うこともできる。
【符号の説明】
【００７４】
１０…運転訓練装置                    １４…入力部
１８…モニタ                          ２２…コンピュータ本体（訓練制御部）
２４…ハンドル                        ２６…セレクトレバー
２８…アクセルペダル                  ３０…ブレーキペダル
３２ａ〜３２ｄ…第１〜第４ボタン（回答入力部）
５０…模擬コース（模擬的な道路環境）  Ｐ１…被訓練者（第１被訓練者）
Ｓｔ…合計得点                        Ｔｄｒｖ＿ｌｉｍ…走行制限時間
Ｔａｎｓ＿ｌｉｍ…回答制限時間        Ｖ…模擬車両の速度
Ｖｓ…模擬車両
【図１】
2010175905.tif 000003
【図２】
2010175905.tif 000004
【図３】
2010175905.tif 000005
【図４】
2010175905.tif 000006
【図５】
2010175905.tif 000007
【図６】
2010175905.tif 000008
【図７】
2010175905.tif 000009
【図８】
2010175905.tif 000010
【図９】
2010175905.tif 000011